(57)【要約】【課題】全くパソコンの知識がなくてもテレビ電話の操作が容易にできるテレビ電話システムを提供すること。【解決手段】本発明は複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システムに係わる。そして、下記いずれかの端末機とサーバーを備えている。利用者が入力した電話番号に端末機が自身に埋め込まれたユニークな端末番号を自動的に付加して認証情報としてサーバーに送信する端末機とそれを受信するサーバー。また、電話帳画面を端末機に送信するサーバーと、タッチパネル画面に前記電話帳画面を表示して利用者に通信接続する相手を選択させる端末機。前記電話帳画面には、電話番号に加えて、愛称、氏名、写真の群の中から選ばれた少なくとも一つが表示されている。【選択図】        図７
2004253924.tif 000002
【特許請求の範囲】
【請求項１】
複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システムの端末機であって、
利用者が入力した電話番号に端末機が自身に埋め込まれたユニークな端末番号を自動的に付加して認証情報としてサーバーに送信するテレビ電話システムの端末機。
【請求項２】
一度認証情報がサーバーに登録された後は、電源が入ると、タッチパネル画面に認証情報入力画面は表示せずに、自動的に認証情報をサーバーに送信し、端末機とサーバーとの間の認証を自動的に行う請求項１記載のテレビ電話システムの端末機。
【請求項３】
認証情報として、端末機のユニークな端末番号、電話番号に加えて、グループ番号をサーバーに送信する請求項１または２に記載のテレビ電話システムの端末機。
【請求項４】
複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システムの端末機であって、
タッチパネル画面に電話帳画面を表示して利用者に通信接続する相手を選択させるテレビ電話システムの端末機。
【請求項５】
前記電話帳画面には、電話番号に加えて、愛称、氏名、写真の群の中から選ばれた少なくとも一つが表示されている請求項４に記載のテレビ電話システムの端末機。
【請求項６】
前記電話帳画面は予め登録されたグループのメンバー内の電話帳である請求項４又は５に記載のテレビ電話システムの端末機。
【請求項７】
複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システムのサーバーであって、
端末機から電話番号と端末機のユニークな端末番号を受信して端末機を認証するテレビ電話システムのサーバー。
【請求項８】
認証情報として、端末機のユニークな端末番号、電話番号に加えて、グループ番号を受信して端末機を認証する請求項７に記載のテレビ電話システムのサーバー。
【請求項９】
複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システムのサーバーであって、
端末機へ電話帳画面を送信して、端末機のタッチパネル画面に電話帳画面を表示させて利用者に通信接続する相手を選択させるテレビ電話システムのサーバー。
【請求項１０】
前記電話帳画面には、電話番号に加えて、愛称、氏名、写真の群の中から選ばれた少なくとも一つが表示されている請求項９に記載のテレビ電話システムのサーバー。
【請求項１１】
前記電話帳画面は予め登録されたグループのメンバー内の電話帳である請求項９又は１０に記載のテレビ電話システムのサーバー。
【請求項１２】
前記請求項１乃至６  のいずれかに記載の端末機と、前記請求項７  乃至１１のいずれかに記載のサーバーを備えたテレビ電話システム。
【発明の詳細な説明】
【０００１】
【発明の属する技術分野】
本発明は、インターネット通信によるテレビ電話システムに係わり、る。
【０００２】
【従来の技術】
超高齢化社会を控えた現在、独居老人や夫婦のみで生活している世帯が増えている。更に、孫や子供から離れて老人ホームや養護施設で生活する老人も増えてきている。孤独という精神的な不安や、安全管理の問題は非常に重要な問題となってきている。
そこで、テレビ電話を利用することで視覚的な効果により、いつも近くに親戚や知人がいるという思いになり、安全管理面のみならず、精神的な安心感がもてたり、心の健康増進に期待できる。
【０００３】
また、共働きの世帯が増え、幼児が保育園や保育所に預けられる時間が長くなるという傾向もある。この場合も、保育園や保育所にテレビ電話を設置すると、親が幼児から遠く離れていても、テレビ電話を利用することで視覚的な効果により、いつも近くに親がいるという思いになり、安全管理面のみならず、精神的な安心感がもてたり、心の健康増進に期待できる。
【０００４】
【発明が解決しようとする課題】
しかしながら、従来のテレビ電話システムは汎用パーソナルコンピュータ（以下、パソコンと称す）を使うもので、操作にパソコンの知識を必要とした。そのため、幼児や老人には使用が難しく、なかなか普及が進まないという問題があった。
【０００５】
本発明は、上記問題を鑑みてなされたものであって、その目的とするところは、全くパソコンの知識がなくてもテレビ電話の操作が容易にできるテレビ電話システムを提供するものである。特に、老人ホーム、養護施設や保育園に設置されて、老人や園児が利用するに適したテレビ電話システムを提供するものである。
【０００６】
【課題を解決するための手段】
本発明は、複数の端末機と、前記端末機とインターネットを介して接続されるサーバーとを備え、前記端末機は利用者の意思や要求を入力するためにタッチパネル画面を有し、前記サーバーは各端末機間で接続すべき端末機を探して接続する交換機機能を有するテレビ電話システム及びその端末機とサーバーに関する。
そして、上記目的を達成するために、請求項１に記載のテレビ電話システムの端末機は、利用者が入力した電話番号に端末機が自身に埋め込まれたユニークな端末番号を自動的に付加して認証情報としてサーバーに送信することを特徴とする。これにより、接続間違いを防止する。
【０００７】
請求項２に記載のテレビ電話システムの端末機は、請求項１記載の特徴に加えて、一度認証情報がサーバーに登録された後は、電源が入ると、タッチパネル画面に認証情報入力画面は表示せずに、自動的に認証情報をサーバーに送信し、端末機とサーバーとの間の認証を自動的に行うことを特徴とする。これにより、利用者による認証手続を省略して操作を容易にする。
請求項３に記載のテレビ電話システムの端末機は、請求項１または２記載の特徴に加えて、認証情報として、端末機のユニークな端末番号、電話番号に加えて、グループ番号をサーバーに送信することを特徴とする。これにより、更に、接続の間違いを防止する。
【０００８】
請求項４  に記載のテレビ電話システムの端末機は、タッチパネル画面に電話帳画面を表示して利用者に通信接続する相手を選択させることを特徴とする。これにより、利用者はタッチパネル画面に触れるだけで通信接続する相手を選択できるので操作が容易になる。
請求項５  に記載のテレビ電話システムの端末機は、請求項４に記載の特徴に加えて、前記電話帳画面に、愛称、氏名、写真の群の中から選ばれた少なくとも一つが、電話番号に加えて、更に表示されていることを特徴とする。これにより、選択の間違いを防止する。
【０００９】
請求項６に記載のテレビ電話システムの端末機は、請求項４又は５に記載の特徴に加えて、前記電話帳画面が予め登録されたグループのメンバー内の電話帳であることを特徴とする。これにより、更に選択の間違いを防止する。
【００１０】
請求項７  に記載のテレビ電話システムのサーバーは、端末機から電話番号と端末機のユニークな端末番号を受信して端末機を認証することを特徴とする。これにより、接続のまちがいを防止する。
請求項８  に記載のテレビ電話システムのサーバーは、請求項７  に記載の特徴に加えて、認証情報として、グループ番号を端末機のユニークな端末番号、電話番号に加えて受信して端末機を認証することを特徴とする。これにより、接続の間違いを更に防止する。
【００１１】
請求項９  に記載のテレビ電話システムのサーバーは、端末機へ電話帳画面を送信して、端末機のタッチパネル画面に電話帳画面を表示させて利用者に通信接続する相手を選択させることを特徴とする。電話帳画面からの選択であるので利用者の選択の間違いを防止して操作が容易になる。
請求項１０に記載のテレビ電話システムのサーバーは、請求項９  に記載の特徴に加えて、前記電話帳画面に、愛称、氏名、写真の群の中から選ばれた少なくとも一つを、電話番号に加えて表示していることを特徴とする。これにより、利用者による選択の間違いを更に防止する。
【００１２】
請求項１１に記載のテレビ電話システムのサーバーは、請求項９  又は１０に記載の特徴に加えて、前記電話帳画面は予め登録されたグループのメンバー内の電話帳であることを特徴とする。これにより、利用者による選択の間違いを更に防止する。
【００１３】
請求項１２に記載のテレビ電話システムは、前記請求項１乃至６  のいずれかに記載の端末機と、前記請求項７  乃至１１のいずれかに記載のサーバーを備えたことを特徴とする。これにより、操作が容易で且つ、通信接続に間違いのないテレビ電話システムが実現できる。
【００１４】
【発明の実施の形態】
以下、本発明の実施形態の例を図面に基づいて説明する。図１は本実施形態に係わるテレビ（ＴＶ  と称す）  電話システムの各機器の接続構成の概略を示す図である。図２は本実施形態に係わる専用端末機の構成を示す図である。
【００１５】
図１において、本実施形態に係わるＴＶ電話システムは、ＴＶ電話サーバー１  （以下、単にサーバー１  と称す）と、インターネットを介して前記サーバー１  に接続される端末機２，３，４，５，６  を基本的に備えている。尚、ＡＤＳＬや光ファイバーを利用したブロードバンドタイプが望ましい。
サーバー１  は固定インターネットプロトコル（Ｉｎｔｅｒｎｅｔ  Ｐｒｏｔｏｃｏｌ、以下、ＩＰと称す）アドレスを有しており、端末側のＩＰアドレスは、ＡＤＳＬ等を介してインターネットサーバーに接続されると与えられるＩＰ（以下、非固定ＩＰと称す）アドレスである。
【００１６】
サーバー１  としては、インターネット通信手段やメモリー（記憶手段）、音声収録再生手段、画像収録再手段を備えた一般的なコンピュータが挙げられる。そして、前記コンピュータには本実施形態のＴＶ電話システムに係わるサーバーとして前記コンピュータを作動させるための専用ソフトが搭載されている。サーバー１  は各端末機間で接続すべき端末機を探して接続するという交換機や各端末機間で伝言すべき端末機を探してメッセージを知らせるという伝言サーバーのような役目をする。
【００１７】
端末機２，３，４，５，６  の種類としては、専用端末機２，３  、汎用端末機４，５  、伝言用端末機６  などがある。
汎用端末機４，５  としては、本実施形態のＴＶ電話システムに係わる端末機として作動させるための専用ソフトが搭載された汎用パソコンやタブレットパソコンが挙げられる。前記汎用パソコンやタブレットパソコンにはスピーカー、マイク、カメラ、インターネット通信手段、音声収録再生手段、画像収録再手段等を備えていることが必要である。
同時通信ではなく、単に伝言メッセージを送受信する伝言用端末機６  としては、カメラ付き形態電話が挙げられる。
【００１８】
専用端末機２，３  の一例が図２に示されている。専用端末機２，３  は、タッチパネル画面７，  ＣＣＤ等のカメラ８，指向性マイク９，スピーカー１０，  指紋センサー１１、内臓された通信手段、内臓された中央処理装置（ｃｅｎｔｒａｌ  ｐｒｏｃｅｓｓｉｎｇ  ｕｎｉｔ、以下、ＣＰＵ  と称す）  、内臓されたメモリー（記憶手段）、内臓された音声収録再生手段、内臓された画像収録再生手段等を備えている。そして、各手段は、情報信号のやりとりが可能なように前記ＣＰＵ  に接続されている。そして、前記ＣＰＵ  には本実施形態のＴＶ電話システムに係わる専用端末機として前記各手段を作動させるための専用ソフトが搭載されている。
【００１９】
タッチパネル画面７  は文字が画像を表示する表示手段であると共に、文字や電話をかけたい相手を選択する等の利用者の意思や要求を入力するための入力手段である。このタッチパネル画面７  の利用により、マウスやキーボードを使って利用者の意思や要求を入力するパソコンより操作が容易になる。更に、本実施形態においては、後述するように、全くパソコンの知識がなくてもＴＶ電話の操作ができるようにタッチパネル画面７  の表示構成が工夫されている。
【００２０】
ＣＣＤ  カメラ８，マイク９，スピーカー１０は、それぞれ画像入力手段、音声入力手段、音声出力手段を構成しており、それぞれの各手段として機能するものであれば、他の機器であってもよい。指紋センサー１１は、利用者を識別するための識別手段を構成しており、識別手段として機能するものであれば、他の機器であってもよい。
更に、この専用端末機２，３  は昇降自在なテーブルに固定することが好ましい。これにより、専用端末機２，．３は昇降手段を有することとなり、利用者の利用しやすい高さに合わせることが容易になる。
【００２１】
次に、図３乃至図１７に基づいて本実施形態のＴＶ電話システムの作動を説明する。
本実施形態において、老人ホーム或いは保育園等の施設に第１専用端末機２  を設置し、家庭側に第２専用端末機３  或いは、汎用端末機４，５  、若しくは伝言用端末機６  を設置する。尚、端末機の一つは必ず施設に設置しなければならないというわけではなく、また端末機の一つは必ず家庭に設置しなければならないというわけではない。端末機はＴＶ電話が必要とされるところに設置或いは携帯される。
【００２２】
［メンバー登録］
先ず、第１  専用端末機２  の利用者は、予めこのＴＶ電話システムを利用者するメンバー即ち、端末機情報を記載したカードをサーバー１  の開設者へ郵送する。メンバー情報の例としては、予めこのＴＶ電話システムを利用者するメンバーの氏名若しくは愛称、前記氏名等別電話番号、予めこのＴＶ電話システムを利用者するメンバーのグループ名等、図３に示すものが挙げられる。図３において、花組は第１  専用端末機２  の利用者である。第１  専用端末機２  は利用者がかずおの端末機と、利用者がやすこの端末機とグループであり、ＴＶ電話の通信接続するときはこのグループ内で通信接続することをこの手続によって申請する。
これにより、インターネットを利用しているが、予め定めた相手以外へは操作の不備があっても接続できない様になる。また、定めた相手以外からもかかってこない。
【００２３】
サーバー１  では、図４に示すように、前記郵送されてきたメンバー情報をグループ名毎にグループ番号を付与して順に登録する。前記各電話番号に関連付けられて、それぞれの各氏名若しくは愛称、グループ名、グループ番号が登録される。
メンバーが利用する端末機のＩＰアドレスは上記したように非固定ＩＰアドレスである。接続のたびに現在のＩＰアドレスとして登録される。それ故、メンバーの電話番号の登録が必要となる。接続すべき相手を捜す際に、グループ番号、そして、電話番号が重要な役割を果たす。「リンク情報」「公開」については後述する。
サーバー１  で上記登録が終了すると、サーバー１  開設者は登録完了を記載したカードを第１  専用端末機２  は利用者へ郵送する。
【００２４】
［登録の確認］
登録完了カードを受け取った第１  専用端末機２  の利用者は、第１  専用端末機２  を立ちあげる。
すると、図５に示すような登録確認の画面がタッチパネル画面７  に表示される。第１  専用端末機２  の利用者が、愛称を花組として登録した自分の電話番号を入力する画面である。
画面中、左下部に電話番号を入力するための数字ボタンが配置されている。前記数字ボタンの上方、即ち、画面中、左上部に空白の３つの矩形欄が表示されている。これは入力された電話番号を表示するための欄で前記数字ボタンを押すことによって入力された数字がこの欄に表示される。
【００２５】
前記３つの矩形欄の右、即ち、画面中、右上部に電話番号の入力の仕方等を説明するビデオを見るための説明ビデオ再生スイッチボタンが表示されている。このスイッチボタンを押すと、ここに説明ビデオが再生される。前記説明ビデオを再生スイッチの下方、即ち、画面中、右下部に入力した電話番号を登録するための登録ボタンと取り消すための取消しボタンが表示されている。登録ボタンを押すと図６に示すような電話番号を確認するための画面がタッチパネル画面７  に表示される。取消しボタンを押すと、前記３つの矩形欄は空白にもどり、電話番号の入力をもう一度最初からやり直すことができる。
【００２６】
図６の確認画面の上部には、入力した電話番号が表示されている。確認画面の下部には電話番号を登録するための登録ボタンと取り消すための取消しボタンが表示されている。登録ボタンを押すと、前記電話番号と共に第１  専用端末機２  に予め設定されているユニークな端末番号がサーバー１  に送信される。前記ユニークな端末番号としては専用端末機の製造時のシリアルナンバーや専用ソフトのシリアルナンバー等が挙げられる。
取消しボタンを押すと、タッチパネル画面７  は図５に示す画面に戻り、電話番号の入力をもう一度最初からやり直すことができる。
【００２７】
サーバー１  は、前記第１専用端末機２  のユニークな端末番号及び利用者の電話番号を受信すると、まず、前記利用者の電話番号を既に登録済の電話番号と照合する。該当電話番号を見出すと、前記該当電話番号に関連付けて前記ユニークな端末番号を登録する。そして、該当電話番号に関連付けて既に登録されている愛称若しくは氏名、グループ名、グループ番号を前記第１専用端末機２  へ送信する。必要に応じて第１専用端末機２  のユニークな端末番号と利用者の電話番号も前記第１専用端末機２  へ送信する。
【００２８】
第１専用端末機２  は、前記愛称若しくは氏名、グループ名、グループ番号を受信すると、前記第１専用端末機２  のユニークな端末番号と利用者の電話番号に関連付けて、前記愛称若しくは氏名、グループ名、グループ番号を登録する。これで第１専用端末機２  の利用者の登録の確認が終了する。
その後は、第１専用端末機２  に電源が入ると、自動的に必ずこれらの情報、即ち、第１専用端末機２  のユニークな端末番号、グループ番号、グループ名、電話番号、愛称若しくは氏名を第１専用端末機２  の認証情報としてサーバー１  に送信する。タッチパネル画面７  に認証情報入力画面は表示せず、第１専用端末機２  とサーバー１  との間の認証工程が自動的に行われることになる。
【００２９】
第１専用端末機２  からの登録確認が終了すると、若しくは、第１専用端末機２  に電源が入れられて第１専用端末機２  とサーバー１  間で自動認証が終えると、サーバー１  は既に登録された図４に示す情報に基づいて、図７に示すようなＴＶ電話帳の画面を第１専用端末機２  へ送信する。これは登録されたグループのメンバーの電話帳である。図７に示された例では、花組のメンバーのみのＴＶ電話帳である。
【００３０】
第１専用端末機２  では、前記図７に示すようなＴＶ電話帳の画面がタッチパネル画面７  に表示される。既に登録したメンバーの電話帳である。
画面中、各メンバーの電話番号が縦方向に並べて表示されている。そして、メンバーの顔写真、愛称若しくは氏名等の各電話番号に関連付けれた情報が順に横方向に表示されている。画面左端では、その電話番号のメンバーの端末機に接続可能か否かが表示されている。例えば、接続可能な場合は○等の接続可能ボタンが明瞭に表示される。また、端末機の電源が入っていないメンバーや利用者本人の場合は接続不可であるので、×等で接続不可が表示される。
画面右端に「もどる」ボタン及び「つぎへ」ボタン」が表示されている。「つぎへ」ボタンを押すと電話帳の次頁へ移動し、「もどる」ボタンを押すと電話帳の前頁へ移動する。
【００３１】
画面下部にこの端末機の他の機能を示すボタンが表示されている。「グループ名」ボタン「グループ番号」ボタンは、この第１専用端末機２  の利用者のグループ名及びグループ番号を確認したいときに使用するボタンである。これらのボタンをそれぞれ押すと、グループ名及びグループ番号をそれぞれ表示する。「電話帳の更新」ボタンは電話帳を更新するときに使用する。「一般通信へ」ボタンはメンバーとは関係なく一般的なインターネットの通信を行うときに使用するボタンである。「タイマー」ボタンは、第１専用端末機２  の作動時間を設定するために使用するボタンである。「リンク電話帳」ボタンは、第１専用端末機２  の利用者のグループとリンクされた他のグループの電話帳を表示させるためにボタンである。「番号を公開」ボタンは第１専用端末機２  利用者の電話番号をメンバー以外の人に公開して、メンバー以外の端末機からの通信接続が可能であることを意思表示するために使用するボタンである。「公開ＴＶ電話帳」ボタンはサーバー１  に登録された電話番号をメンバー以外に公開してもよいという端末機の利用者の公開ＴＶ電話帳を表示するときに使用するボタンである。
【００３２】
第１専用端末機２  の利用者が、画面中の顔写真等から接続したいメンバーを見出すと、接続したいメンバーの顔写真、愛称若しくは氏名、電話番号、接続可能ボタンのいずれかを押す。例えば、かずおの接続可能ボタンを押すと、第１専用端末機２  は、かずおという愛称、電話番号、グループ名、グループ番号と共に接続要求をサーバー１  に送信する。その一方、図８に示すようような待ち受け画面をタッチパネル画面７  に表示する。
【００３３】
サーバー１  は、接続要求と共に受信した情報に基づいて、図４に示すような登録情報の中から愛称かずおの端末機の現在のＩＰアドレスを捜し出し、第１専用端末機２  と愛称かずおの端末機とを接続する。
【００３４】
愛称かずおの端末機と接続されると、第１専用端末機２  において、図９  に示すような画面がタッチパネル画面７  に表示される。画面内に大きく相手、即ち、愛称かずおの画像が写しだされる。右上部に小さく自分、即ち、第１専用端末機２  の利用者の画像が写しだされる。
相手に送る自分の画像が送信側の画面にも表示できるのでＣＣＤ  カメラを調整することで顔の位置を合わせたり、送りたい画像を確認する事ができる。
自分の画像の下の「写真ボタンにする」というボタンは、図７に示したＴＶ電話帳の顔写真を登録更新するときに押す。このボタンを押すと、その時、写っていり自分の画像がキャプチャされて自動的にＴＶ電話帳の顔写真ボタンの画像となってサーバー１  へ送られる。但しこの機能はメンバー間の通信時のみ、使用可能となっている。サーバー１  は、この顔写真を第１専用端末機２  の利用者として登録する。前回、既に登録されている場合は更新される。
【００３５】
画面下部の「自分の画像を相手に送る」ボタンは、自分の画像を相手に送るときに使用する。但し、メンバー間の通信時は、自動的に自分の画像は相手に送られている。
【００３６】
図１０は、第１専用端末機２  が愛称かずおの端末機に接続できなった場合の画面である。サーバー１  は接続に失敗すると、図１０に示すような画面を第１専用端末機２  に送信し、第１専用端末機２  において、この画面がタッチパネル画面７  に表示される。
【００３７】
また、専用端末機において、着信時は、付属のスピーカーで着信音が流れる。着信音の選択、例えば、ベルや太鼓と音量の調整する。またグループモードでは発信者の愛称が着信音として設定できる。
【００３８】
このように、本実施形態においては全くパソコンの知識がなくてもテレビ電話システムの操作ができる様に工夫されている。また、本実施形態は、インターネットを利用しているが、あらかじめきめた所以外へは操作の不備があっても、接続できない様になっている。また、きめた所以外からはかかってこないようにもなっており、高齢者でも安心である。
【００３９】
次に、図４  に戻りリンク情報について説明する。第１専用端末機２  の利用者のグループ名は花組、グループ番号はＦＣＸＸＸ１であるが、他のグループ、例えば、月組のメンバーとも交流がある場合、第１専用端末機２  の利用者は、花組と月組のリンクを許可することを郵送などでサーバー１  の開設者に知らせる。その際、交流するグループ名、およびそのグループ番号も知らせる。例えば、「グループ名：花組、そのグループ番号：ＦＣＸＸＸ１と、グループ名：月組、そのグループ番号：ＦＣＸＸＸ２とをリンクさせてください」。
【００４０】
サーバー１  では、前記登録申請に基づいて図４  に示す第１専用端末機２  の利用者である花組のリンク情報を他のグループとのリンク許可として「可」と登録する。そして、図１１に示すようなリンクテーブルを作成して登録する。例えば、図１１に示すリンクテーブルは、第１専用端末機２  の利用者である花組からグループ名：月組、およびそのグループ番号：ＦＣＸＸＸ２との交流を許可する知らせがあったときに作成されるリンクテーブルである。花組のリンクテーブルに「月組＋ＦＣＸＸＸ２」と登録する。一方、月組のリンクテーブルに「花組＋ＦＣＸＸＸ１」と登録する。
【００４１】
このように「リンク情報：可」と登録された第１専用端末機２  を立ち上げ、そのタッチパネル画面７  に表示された図７に示すＴＶ電話帳画面の「リンク電話帳」ボタンを押すと、リンクされたグループのメンバーについてのＴＶ電話帳の表示要求がサーバー１  に送付される。
サーバー１  において、前記表示要求が受信されると、図１１に示した花組のリンクテーブルに基づいて、花組とリンクされたグループを注出する。更に、前記注出されたグループのそれぞれのリンクテーブル中に、「花組＋ＦＣＸＸＸ１」が登録されているか否かを確認する。「花組＋ＦＣＸＸＸ１」が登録されているグループのメンバーについてのＴＶ電話帳頁が第１専用端末機２  に送信される。
【００４２】
第１専用端末機２  のタッチパネル画面７  には、リンクされたグループのメンバーについての図７  と同様なリンクＴＶ電話帳画面が表示される。第１専用端末機２  の利用者は自分のグループのメンバーへの接続要求をしたときと同様な操作で、リンクされたグループのメンバーへの接続要求をタッチパネル画面７  から送信する。例えば、「グループ名：月組、電話番号：０６−６１１−４４４４  、愛称：月組、グループ番号：ＦＣＸＸＸ２」への接続要求を送信する。その一方、図８と同様な待ち受け画面をタッチパネル画面７  に表示する。
【００４３】
サーバー１  は、接続要求と共に受信した情報に基づいて、図１２に示すようなリンクされたグループのメンバーについての登録情報の中から前記接続要求されたメンバーを検索し、検索されたメンバ−のリンク情報の欄が「可」になっているか否かを確認する。「可」になっていれば、前記検索されたメンバーの端末機の現在のＩＰアドレスを捜し出し、第１専用端末機２  と前記検索されたメンバーの端末機とを接続する。
【００４４】
例えば、図１２は、花組にリンクされた「グループ名：月組、グループ番号：ＦＣＸＸＸ２」のメンバーの登録情報である。このメンバー登録情報の中から「電話番号：０６−６１１−４４４４  、愛称：月組」のメンバーを検索する。そして、この検索されたメンバ−のリンク情報の欄が「可」になっているか否かを確認する。「可」になっていれば、前記検索されたメンバーの端末機の現在のＩＰアドレスを捜し出し、第１専用端末機２  と前記検索されたメンバーの端末機とを接続する。
【００４５】次に、図７  に戻り「タイマー」ボタンについて説明する。「タイマー」ボタンは、第１専用端末機２  の作動時間を設定するために使用するボタンである。本ＴＶ電話システムは接続し合う端末の双方に電源が入っていないと通信できない。そこで、電源の入れ忘れや切り忘れを防止するために電源のＯＮ／ＯＦＦの自動タイマー機能を装備している。画面の下半分に、「午前」ボタン、「午後」ボタン、時間を指定するための「数字」ボタン、「セットする」ボタン、「セットしない」ボタン、「はじめから」ボタンという情報を入力するためのボタンが表示されている。
【００４６】
前記「午前」ボタン、「午後」ボタン、及び「数字」ボタンを押すことによって入力された時間が画面の上半分に表示される。例えば、午前９時から午後９時からまで電気が入ります」。よければ、「セットする」ボタンを押して電源のＯＮ／ＯＦＦの自動タイマー機能を作動させる。最初から入力しなおすときは、「はじめから」ボタンを押す。設定を止める場合は、「セットしない」ボタンをおす。第１専用端末機２  の利用者が「タイマー」ボタンを押すと、図１３に示すような第１専用端末機２  の作動時間を設定するための画面がタッチパネル画面７  に表示される。
このように、タイマー機能があると、利用可能な時間帯をあらかじめ設定できる。これにより定期通信が可能になり電気の入れわすれによる接続不能が解消できる。
【００４７】
次に、図７  に戻り「番号を公開」ボタンについて説明する。第１専用端末機２  の利用者が「番号を公開」ボタンを押すと、図１４に示すような第１専用端末機２  の利用者の電話番号をメンバー以外の人に公開するための画面がタッチパネル画面７  に表示される。
画面中央に、第１専用端末機２  の利用者の電話番号が表示されている。この番号を公開するときは、「公開する」ボタンを押して、公開要求と共に、グループ名、電話番号、愛称／  氏名、グループ番号、第１専用端末機２  のユニークな端末番号をサーバー１  に送信する。サーバー１  は、公開要求を受け取ると、図４に示すような第１専用端末機２  の利用者の情報の公開について「可」と登録する。「可」と登録されると、登録メンバーの端末機のみならず、登録メンバー以外の端末機からも通信接続が可能となる。そして、図７  のＴＶ電話帳画面の「公開ＴＶ電話帳」ボタンを押すことによって表示される公開ＴＶ電話帳に掲載されることになる。
【００４８】
第１専用端末機２  の利用者の電話番号の公開をやめるときは、「公開をやめる」ボタンを押して、公開停止要求と共に、グループ名、電話番号、愛称／  氏名、グループ番号、第１専用端末機２  のユニークな端末番号をサーバー１  に送信する。サーバー１  は、公開停止要求を受け取ると、図４に示すような第１専用端末機２  の利用者の情報の公開について「不可」と登録する。「不可」と登録されると、図７  のＴＶ電話帳画面の「公開ＴＶ電話帳」ボタンを押すことによって表示される公開ＴＶ電話帳から削除される。
【００４９】
一般的なパソコン利用のテレビ電話と同様に不特定多数と通信できる公開モードとグループ内での通信しか出来ないグループモードとを持っている。
公開モ一ドでの運用時において知らない人からかかってくることが考えられるが着信時は相手の画像は見えるが自分側は相手に見えないようなプライベートブラインド機能を有している。応答後、着信側の意志でブラインドを解除する事ができる。
【００５０】
次に、汎用パソコンやタブレットから構成されている汎用端末機４，５  の利用者についての登録の手順を説明する。
汎用端末機４，５  の利用者は、専用端末機２，３  を購入しているメンバーからグループ名、グループ番号を予め入手しておく。
サーバー１  のホームページからダンロードされた、若しくは、ＣＤ−ＲＯＭに格納された本発明のＴＶ電話システムにかかわる登録専用ソフトを汎用端末機４，５  を構成する汎用パソコンやタブレットパソコンにインストールする。
【００５１】
登録専用ソフトを立ちあげる。すると、図１５に示す画面が表示される。マウスやキーボード等をにより登録手続の開始信号を入力する。
図１６に示すような登録画面が表示される。汎用端末機４，５  の利用者の電話番号、及び予め入手しておいたグループ名、グループ番号を入力し、マウスやキーボード等により入力する。画面上の「確認」をマウスでクリック等すると、それらの情報と共に、ユニークな端末番号がサーバー１  に送信される。ユニークな端末番号の例としては、専用端末機と同様のものが挙げられる。
【００５２】
サーバー１  では、専用端末機の場合と同様の登録手続を行う。登録すると、図１７に示すような画面を汎用端末機４，５  へ送信する。
これは、汎用パソコンやタブレットパソコンを本発明に係わる専用端末機と同様な機能を有する汎用端末機として作動させるための専用ソフトをダウンロードすることを許可する画面である。汎用端末機４，５  の利用者が専用ソフトをダウンロードしてインストールすると、上記専用端末と同様の手順によって操作することができる。但し、接続要求等の入力はマウスやキーボードによって行うことになる。
【００５３】
上記のような汎用端末機は、汎用と言ってはいるけれど、専用端末機と同様、ユニークな端末番号が登録されるので、他の汎用パソコンやタブレットパソコンからサーバー１  へのアクセスはできない。認証情報も専用端末機と同様に一般的な操作では変更できない。
【００５４】
また、サーバー１  は、音声や文字や画像を記憶保存しておくことが可能であるので、端末機同士を通信可能に接続する交換機サーバーとしてだけはなく、伝言サーバーとしても機能する。
本実施形態において、老人ホーム或いは保育園等の施設に第１専用端末機２  が設置され、家庭側に第２専用端末機３  或いは、汎用端末機４，５  、若しくは伝言用端末機６  が設置されている。
【００５５】
複数の家庭側端末機の利用者から施設側第１専用端末機２  の複数の利用者へ伝言する場合、家庭側端末機の利用者はサーバー１  へ伝言を登録する。サーバー１  は、届いている伝言の宛名一覧表を作成し、施設側第１専用端末機２  の待ち受け画面若しくは管理者画面にそれを表示させる。
施設側第１専用端末機２  の複数の利用者について識別を指紋センサーで行う。施設側第１専用端末機２  の利用者はこのセンサーに触れるだけで個人が識別でき、自分への伝言を受け取ることができる。だれがどれだけ接続したかもわかる。
【００５６】
このように、端末機はビデオメールを受信できる機能がありビデオ伝言として必要な時に再生できる。複数の登録者のデータを受け取る事もできる。
保育園、幼稚園等での利用を考えると、母親があらかじめ家庭よりビデオ伝言を送信しておけば施設側で必要な時に受け取る事が出来る。その際内蔵の指紋センサーのはたらきで個人が特定できるためセンサーに触れるだけ本人のデータのみを取る事ができる。他人のメッセージをあやまって見る事はない。
子供たちが不用意に機械に触れても機能しないようにする為にいわゆるチャイルドロック機能を設定する。
【００５７】
【発明の効果】
タッチパネルに触れる事により操作ができる。キーボードやマウスは不要である。
接続先の選択時に、グループモードでは電話番号、愛称ボタン以外に写真ボタンが用意されており、顔写真等が利用できるので、きわめて簡単な操作で希望の相手に接続できる。
インターネット回線を利用しているので世界中で使用可能である。
。
【図面の簡単な説明】
【図１】本実施形態に係わるテレビ（ＴＶ  と称す）  電話システムの各機器の接続構成の概略を示す図である。
【図２】本実施形態に係わる専用端末機の構成を示す図である。
【図３】本実施形態のＴＶ電話システムの作動を説明する図
【図４】本実施形態のＴＶ電話システムの作動を説明する図
【図５】本実施形態のＴＶ電話システムの作動を説明する図
【図６】本実施形態のＴＶ電話システムの作動を説明する図
【図７】本実施形態のＴＶ電話システムの作動を説明する図
【図８】本実施形態のＴＶ電話システムの作動を説明する図
【図９】本実施形態のＴＶ電話システムの作動を説明する図
【図１０】本実施形態のＴＶ電話システムの作動を説明する図
【図１１】本実施形態のＴＶ電話システムの作動を説明する図
【図１２】本実施形態のＴＶ電話システムの作動を説明する図
【図１３】本実施形態のＴＶ電話システムの作動を説明する図
【図１４】本実施形態のＴＶ電話システムの作動を説明する図
【図１５】本実施形態のＴＶ電話システムの作動を説明する図
【図１６】本実施形態のＴＶ電話システムの作動を説明する図
【図１７】本実施形態のＴＶ電話システムの作動を説明する図
【図１】
2004253924.tif 000003
【図２】
2004253924.tif 000004
【図３】
2004253924.tif 000005
【図４】
2004253924.tif 000006
【図５】
2004253924.tif 000007
【図６】
2004253924.tif 000008
【図７】
2004253924.tif 000009
【図８】
2004253924.tif 000010
【図９】
2004253924.tif 000011
【図１０】
2004253924.tif 000012
【図１１】
2004253924.tif 000013
【図１２】
2004253924.tif 000014
【図１３】
2004253924.tif 000015
【図１４】
2004253924.tif 000016
【図１５】
2004253924.tif 000017
【図１６】
2004253924.tif 000018
【図１７】
2004253924.tif 000019